【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  時系列の複数の画面のうちの、所定の注目画面における、各画素の動きの方向を算出する画像処理装置であって、
前記注目画面の各画素に対応する複数の動きの方向それぞれに対応する評価値を、前記時系列の複数の画面の、各動きの方向にある画素に基づいて演算する演算手段と、
前記複数の動きの方向を、その複数の動きの方向それぞれに対応する評価値に基づいて加工することにより、前記所定の注目画面の各画素に対応する動きの方向を算出する算出手段と
を備えることを特徴とする画像処理装置。
【請求項２】  前記注目画面の各画素に対応する前記複数の動きの方向を設定する方向設定手段と、
各動きの方向に対応する評価値を演算するための、前記方向設定手段により設定された前記動きの方向上にある前記複数の画面の画素の抽出範囲を設定する範囲設定手段と
をさらに備え、
前記演算手段は、前記方向設定手段により設定された前記動きの方向上の前記複数の画面の画素のうち、前記範囲設定手段により設定された範囲の画素に基づいて、前記動きの方向に対応する評価値を演算する
ことを特徴とする請求項１に記載の画像処理装置。
【請求項３】  前記範囲設定手段は、前記動きの方向に対応する評価値の演算に用いる画素の範囲を、その動きの方向に沿ってシフトし、
前記演算手段は、前記動きの方向に沿ってシフトされる各画素の範囲それぞれについて前記評価値を演算し、その評価値に基づいて、前記動きの方向に対応する最終的な評価値を演算する
ことを特徴とする請求項２に記載の画像処理装置。
【請求項４】  前記演算手段は、前記動きの方向に沿ってシフトされる各画素の範囲それぞれについて評価値を演算し、各評価値を加算することにより、前記動きの方向に対応する最終的な評価値を演算する
ことを特徴とする請求項３に記載の画像処理装置。
【請求項５】  前記算出手段は、前記複数の動きの方向それぞれに対応する前記最終的な評価値を重みとして、前記複数の動きの方向を重み付け加算することにより、前記注目画面の各画素の動きの方向を算出する
ことを特徴とする請求項３に記載の画像処理装置。
【請求項６】  前記注目画面の各画素の前記評価値を記憶する評価値記憶手段と、
前記評価値記憶手段に記憶された評価値を、前記方向設定手段により設定された動きの方向上の画素から求められる前記評価値に基づいて更新する評価値更新手段と
をさらに備えることを特徴とする請求項２に記載の画像処理装置。
【請求項７】  前記評価値更新手段は、前記評価値記憶手段に記憶された評価値を、前記方向設定手段により設定された動きの方向上の画素から求められる前記評価値と加算することにより更新する
ことを特徴とする請求項６に記載の画像処理装置。
【請求項８】  前記方向設定手段は、前記複数の動きの方向を順次設定し、
前記注目画面の各画素に対応して、前記動きの方向を記憶する動き方向記憶手段と、
前記動き方向記憶手段に記憶された前記動きの方向を、前記方向設定手段により新たに設定された動きの方向に基づいて更新する動き方向更新手段と
をさらに備えることを特徴とする請求項２に記載の画像処理装置。
【請求項９】  前記動き方向更新手段は、前記動き方向記憶手段に記憶される前記動きの方向と、前記方向設定手段により新たに設定された動きの方向とを、それぞれの動きの方向に対する前記評価値を重みとして重み付け加算することにより、前記動き方向記憶手段に記憶される前記動きの方向を更新する
ことを特徴とする請求項８に記載の画像処理装置。
【請求項１０】  前記演算手段は、前記所定の注目画面の各画素に対応する複数の動きの方向それぞれに対応する評価値を、前記時系列の複数の画面の各動きの方向上にある複数の画像ブロックに基づいて演算する
ことを特徴とする請求項１に記載の画像処理装置。
【請求項１１】  前記時系列の複数の画面を構成する動画像データを記憶する記憶手段をさらに備え、
前記演算手段は、前記所定の注目画面の各画素に対応する複数の動きの方向それぞれに対応する評価値を、前記記憶手段に記憶される前記時系列の複数の画面すべての各動きの方向上にある画素に基づいて演算する
ことを特徴とする請求項１に記載の画像処理装置。
【請求項１２】  前記演算手段は、前記方向設定手段により設定された前記動きの方向上の前記複数の画面の画素のうち、前記範囲設定手段により設定された範囲の画素の画素値の分散の逆数を、前記動きの方向に対応する評価値として演算する
ことを特徴とする請求項２に記載の画像処理装置。
【請求項１３】  前記演算手段は、前記方向設定手段により設定された前記動きの方向上の前記複数の画面の画素のうち、前記範囲設定手段により設定された範囲の画素の画素値の連続性の逆数を、前記動きの方向に対応する評価値として演算する
ことを特徴とする請求項２に記載の画像処理装置。
【請求項１４】  前記算出手段により算出される前記動きの方向に基づいて、前記注目画面の、動きのある部分である動き部の有無を判定する判定手段をさらに備える
ことを特徴とする請求項１に記載の画像処理装置。
【請求項１５】  前記判定手段は、前記動きの方向を２値化することにより、前記注目画面の動き部を検出する
ことを特徴とする請求項１４に記載の画像処理装置。
【請求項１６】  前記判定手段は、前記動きの方向を２値化することにより、前記注目画面の動きのない部分である静止部を検出する
ことを特徴とする請求項１４に記載の画像処理装置。
【請求項１７】  前記判定手段は、前記注目画面の各画素の動きの方向を、その平均値で２値化することにより、前記動き部の有無を判定する
ことを特徴とする請求項１４に記載の画像処理装置。
【請求項１８】  前記判定手段は、前記注目画面の各画素の動きの方向に対応する評価値が所定の閾値より高い前記動きの方向に基づいて、前記動き部の有無を判定する
ことを特徴とする請求項１４に記載の画像処理装置。
【請求項１９】  時系列の複数の画面のうちの、所定の注目画面における、各画素の動きの方向を算出する画像処理方法であって、
前記注目画面の各画素に対応する複数の動きの方向それぞれに対応する評価値を、前記時系列の複数の画面の、各動きの方向にある画素に基づいて演算する演算ステップと、
前記複数の動きの方向を、その複数の動きの方向それぞれに対応する評価値に基づいて加工することにより、前記所定の注目画面の各画素に対応する動きの方向を算出する算出ステップと
を備えることを特徴とする画像処理方法。
【請求項２０】  時系列の複数の画面のうちの、所定の注目画面における、各画素の動きの方向を算出する画像処理を、コンピュータに行わせるプログラムが記録されている記録媒体であって、
前記注目画面の各画素に対応する複数の動きの方向それぞれに対応する評価値を、前記時系列の複数の画面の、各動きの方向にある画素に基づいて演算する演算ステップと、
前記複数の動きの方向を、その複数の動きの方向それぞれに対応する評価値に基づいて加工することにより、前記所定の注目画面の各画素に対応する動きの方向を算出する算出ステップと
を備えるプログラムが記録されている
ことを特徴とする記録媒体。
【手続補正２】
【補正対象書類名】明細書
【補正対象項目名】００１４
【補正方法】変更
【補正の内容】
【００１４】
【課題を解決するための手段】
本発明の画像処理装置は、注目画面の各画素に対応する複数の動きの方向それぞれに対応する評価値を、時系列の複数の画面の、各動きの方向にある画素に基づいて演算する演算手段と、複数の動きの方向を、その複数の動きの方向それぞれに対応する評価値に基づいて加工することにより、所定の注目画面の各画素に対応する動きの方向を算出する算出手段とを備えることを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】変更
【補正の内容】
【００２７】
本発明の画像処理方法は、注目画面の各画素に対応する複数の動きの方向それぞれに対応する評価値を、時系列の複数の画面の、各動きの方向にある画素に基づいて演算する演算ステップと、複数の動きの方向を、その複数の動きの方向それぞれに対応する評価値に基づいて加工することにより、所定の注目画面の各画素に対応する動きの方向を算出する算出ステップとを備えることを特徴とする。
【手続補正１６】
【補正対象書類名】明細書
【補正対象項目名】００２８
【補正方法】変更
【補正の内容】
【００２８】
本発明の記録媒体は、注目画面の各画素に対応する複数の動きの方向それぞれに対応する評価値を、時系列の複数の画面の、各動きの方向にある画素に基づいて演算する演算ステップと、複数の動きの方向を、その複数の動きの方向それぞれに対応する評価値に基づいて加工することにより、所定の注目画面の各画素に対応する動きの方向を算出する算出ステップとを備えるプログラムが記録されていることを特徴とする。
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】変更
【補正の内容】
【００４８】
本発明の画像処理装置および画像処理方法、並びに記録媒体においては、注目画面の各画素に対応する複数の動きの方向それぞれに対応する評価値が、時系列の複数の画面の、各動きの方向にある画素に基づいて演算され、複数の動きの方向が、その複数の動きの方向それぞれに対応する評価値に基づいて加工されることにより、所定の注目画面の各画素に対応する動きの方向が算出される。
【手続補正３７】
【補正対象書類名】明細書
【補正対象項目名】００４９
【補正方法】削除
【補正の内容】
【手続補正３８】
【補正対象書類名】明細書
【補正対象項目名】０１５６
【補正方法】変更
【補正の内容】
【０１５６】
【発明の効果】
本発明の画像処理装置および画像処理方法、並びに記録媒体によれば、注目画面の各画素に対応する複数の動きの方向それぞれに対応する評価値が、時系列の複数の画面の、各動きの方向にある画素に基づいて演算され、複数の動きの方向が、その複数の動きの方向それぞれに対応する評価値に基づいて加工されることにより、所定の注目画面の各画素に対応する動きの方向が算出される。従って、少ない演算時間で、精度の高い動き検出を行うことが可能となる。
【手続補正３９】
【補正対象書類名】明細書
【補正対象項目名】０１５７
【補正方法】変更
【補正の内容】
【０１５７】
さらに、その算出された動きの方向に基づいて、動き部の有無を判定することにより、画像から、動きのある部分やない部分を、精度良く抽出することが可能となる。